(57)【要約】【課題】ガイドブッシュ領域への液体の残留、特には水の残留を単純な方法で防止した家具支柱を提供する。【解決手段】家具支柱は直立管１、及び端部を該直立管１に挿入したガイドブッシュ９を有し、その内周面が支持管７をガイドする。ガイドブッシュ９が半径方向内側にガイド管８を具え、その管内空間がガイドを形成する。ガイド管８の端部領域にはインサートリング領域１０が半径方向外方に延在し、その外周面が直立管１に挿入されている。円周方向に互いに離間して配置された複数個のウエブ１４がインサートリング領域の軸線方向に接続され、この半径方向外端面が直立管の内壁に当接する。これらウエブ１４間にはインサートリング領域と反対の側を開放したチャンバー１１が形成される。直立管１が、外周面を完全に被覆する彩色層を具える。連続した開口１２が、チャンバー１１からガイド管８を通ってガイド管８の内部に連通している。【選択図】　　　　図１
2004016820.tif 000002
【特許請求の範囲】
【請求項１】
直立管、及び端部を該直立管に挿入したガイドブッシュを有する家具支柱であって、ガイドブッシュの半径方向内周面が家具支柱の支持管をガイドしており、ガイドブッシュが半径方向内側にガイド管を具えており、ガイド管の管内空間がガイドを形成しており、ガイド管の端部領域にはインサートリング領域が半径方向外方に延在しており、インサートリング領域の半径方向外周面が直立管に挿入されており、円周方向に互いに離間して配置された複数個の、ガイド管から半径方向外方に延在するガイドブッシュのウエブがインサートリング領域の軸線方向に接続され、この半径方向外端面が直立管の内壁に当接しており、これらウエブ間にはインサートリング領域と反対の側を開放したチャンバーが形成されており、直立管が、外周面を完全に被覆する彩色層を具えている家具支柱において、連続した開口（１２）が、チャンバー（１１）の少なくとも一部からガイド管（８）を通ってガイド管（８）の内部に連通していることを特徴とする家具支柱。
【請求項２】
開口（１２）が、チャンバー（１１）の、インサートリング領域（１０）に対向する端部領域内に設けられていることを特徴とする請求項１記載の家具支柱。
【請求項３】
ウエブ（１４）が、ガイド管（８）の周囲に均等に配分されて配置されていることを特徴とする請求項１又は２記載の家具支柱。
【請求項４】
インサートリング領域（１０）内のガイド管（８）が、その半径方向内周面に、軸線方向に延在し、かつガイド管（８）の内部に向かって開口した複数のスロット（１３）を具えており、各スロットは、その一方の端部がチャンバー（１１）の領域内に達しており、開口（１２）を介して半径方向でチャンバー（１１）と連通していることを特徴とする請求項１〜３のいずれか一項記載の家具支柱。
【請求項５】
スロット（１３）は、開口（１２）と反対側の端部が軸線方向外方でインサートリング領域（１０）の自由端面に達することを特徴とする請求項４記載の家具支柱。
【請求項６】
スロット（１３）は、チャンバー（１１）の領域において、ガイド管（８）の壁厚と同等以上の深さを有することを特徴とする請求項４又は５に記載の家具支柱。
【請求項７】
ウエブ（１４）の反対側にあるインサートリング領域（１０）の軸線方向自由端が、直立管（１）の自由端と形状結合していることを特徴とする請求項１〜６のいずれか一項記載の家具支柱。
【請求項８】
インサートリング領域（１０）の自由端が、半径方向外方に突出して直立管（１）の自由端からフランジ状をなしているリング状突起（１５）を具えることを特徴とする請求項７記載の家具支柱。
【請求項９】
ガイドブッシュ（９）が直立管（１）に押圧嵌合していることを特徴とする請求項１〜８のいずれか一項記載の家具支柱。
【請求項１０】
ガイドブッシュ（９）が、射出成形体、特にはプラスチック射出成形体であることを特徴とする請求項１〜９のいずれか一項記載の家具支柱。
【発明の詳細な説明】
【０００１】
【発明の属する技術分野】
この発明は、直立管、及び端部を該直立管に挿入したガイドブッシュを有する家具支柱であって、ガイドブッシュの半径方向内周面が家具支柱の支持管をガイドしており、ガイドブッシュが半径方向内側にガイド管を具えており、ガイド管の管内空間がガイドを形成しており、ガイド管の端部領域にはインサートリング領域が半径方向外方に延在しており、インサートリング領域の半径方向外周面が直立管に挿入されており、円周方向に互いに離間して配置された複数個の、ガイド管から半径方向外方に延在するガイドブッシュのウエブがインサートリング領域の軸線方向に接続され、この半径方向外端面が直立管の内壁に当接しており、これらウエブ間にはインサートリング領域と反対の側を開放したチャンバーが形成されており、直立管が、外周面を完全に被覆する彩色層を具えている家具支柱に関する。
【０００２】
【従来の技術】
このような直立管には、コーティングを塗布した後にガイドブッシュを装着する場合に、取り付けたガイドブッシュの領域においてこのコーティングが損傷するという問題がある。しかし、コーティングを塗布する前にガイドブッシュを直立管内に挿入すると、塗装前の洗浄作業によりガイドブッシュ内のウエブの領域内に水が残留するおそれがあり、これが製造の障害を招いたり、後に、家具支柱の後工程中及び家具支柱を具える家具部分の使用中に故障を招いたりする。また、このような液体の残留は腐食を招く。
【０００３】
【発明が解決しようとする課題】
この発明の目的は、ガイドブッシュ領域への液体の残留、特には水の残留を単純な方法で防止した、前記のような種類の家具支柱を提供することにある。
【０００４】
【課題を解決するための手段】
この発明によれば、上記の課題は、連続した開口が、チャンバーの少なくとも一部からガイド管を通ってガイド管の内部に連通することによって解決される。
【０００５】
ウエブ間に形成されたチャンバーがガイド管の内部に連通しているので、残留した液体は、チャンバーから開口を通ってガイド管の内部に入り、そこから外部に排出される。
【０００６】
開口が、チャンバーのインサートリング領域と対向する端部領域内に設けられていると、残留した液体が特に良好に排出される。チャンバーの軸線方向両端から排出が可能となるからである。
【０００７】
直立管内の支持管が均等に力を受容するため、ウエブを、ガイド管の周囲に均等に配分して配置することができる。
【０００８】
インサートリング領域内のガイド管が、その半径方向内周面に、軸線方向に延在する、ガイド管の内部に向かって開口した複数のスロットを具えおり、各スロットは、その一方の端部がチャンバーの領域内に達しており、開口を介して半径方向でチャンバーと連通することができる。
【０００９】
さらに、スロットは、開口と反対側の端部が軸線方向外方でインサートリング領域の自由端面に達していてもよく、これにより、家具の一部に家具支柱を取り付けた際に、直立管内の支持管の移動によりこれらのスロットを介して直立管の内部と外部領域との間の圧力が均等となる。
【００１０】
スロットは、チャンバーの領域においてガイド管の壁厚と同等以上の深さを有してもよく、これにより、別加工をしなくとも、スロットとチャンバーが軸線方向において重複する領域に、半径方向に向かって必然的に開口が形成される。
【００１１】
特に、直立管内のガイドブッシュの保護のために、ウエブの反対側にあるインサートリング領域の軸線方向自由端を、直立管の自由端と形状結合させることができる。
【００１２】
この形状結合は、インサートリング領域の自由端が、半径方向外方に突出して直立管の自由端からフランジ状をなしているリング状突起を具えることにより、単純な方法で達成することができる。
【００１３】
がたつき無く確実に適合させるため、ガイドブッシュを直立管に押圧嵌合させることができる。
【００１４】
ガイドブッシュが射出成形体、特にはプラスチック射出成形体であると容易に製造可能である。また、スロットは、その開口と反対側の端部が軸線方向外方でインサートリング領域の自由端面に達していると容易に製造可能である。スロットを射出金型内に収容された軸線方向仕切りを用いた単純な方法で射出工程により製造することができるので、射出金型は安価となり、軸線方向に問題なく離型することができる。
【００１５】
【発明の実施の形態】
以下、図面を参照しつつ、この発明の実施の形態をより詳細に説明する。図１は家具支柱の断面図であり、図２は図１の要部の断面図であり、図３は図２の要部の正面図であり、図４は図２のＩＶ−ＩＶ線に沿った断面図である。
【００１６】
図示の椅子用家具支柱は、脚領域２を有する直立管１を具える。脚領域２には図示しない椅子の脚を配置可能であり、これを床に立てるのに供する。
【００１７】
直立管１の内部には、直立管のフランジ部４及び直立管のエンボス部５により、支持底３が脚領域２にしっかりと配置されている。
【００１８】
さらに、直立管１の内部には、遮断可能な空気バネ６が配置されている。空気バネ６の支持管７は、ガイドブッシュ９のガイド管８の管内空間を軸線方向に摺動しながらガイドされる。ガイド管８はガイドブッシュ９の一部である。
【００１９】
ガイドブッシュ９は、ガイド管８の端部領域に、半径方向外方に延在するインサートリング領域１０を具える。このインサートリング領域１０は、半径方向外端面を当接させながら直立管１に挿入される。
【００２０】
インサートリング領域１０には、直立管１内を軸線方向に延在する複数個のウエブ１４が接続されている。ウエブ１４は、ガイド管８の円周上に、円周方向に互いに均一に離間して配置されており、ガイド管８から半径方向外方に延在しており、かつその外周面を、直立管１の内壁に当接している。
【００２１】
ウエブ１４の間には、インサート領域１０と反対の側を開放したチャンバー１１が形成されている。
【００２２】
特に図２に示したように、連続した開口１２が、チャンバー１１からガイド管８の半径方向内方に向かって延び、ガイド管８の内部に連通している。
【００２３】
ガイドブッシュ９はプラスチック製の射出成形体である。
【００２４】
開口１２は、次のような単純な方法で製造される。すなわち、軸線方向に延在する仕切りを射出金型内に収容する。仕切りは、インサートリング領域を形成する領域を通って、チャンバー１１の、インサートリング領域１０に隣接する領域まで完全に軸線方向に延在しており、これによりスロット１３が形成される。スロット１３は、一方の端部が軸線方向外方でインサートリング領域１０の自由端面に達しており、かつガイド管８の内部に開口している。スロット１３の深さはガイド管８の壁厚と等しいので、スロット１３とチャンバー１１のオーバーラップ領域内には必然的に半径方向を向いた開口１２が形成されるので、別工程で開口を加工する必要がない。
【００２５】
ウエブ１４の反対側にあるインサートリング領域１０の自由端が、半径方向外方に突出し、直立管１の自由端からフランジ状をなしているリング状突起１５を具える。リング状突起１５のフランジ状領域も含めた直立管１の全外周面が彩色層で被覆されている。
【００２６】
空気バネ６のピストンロッド１６はガイドブッシュ９の反対側にある端部に向かって延在しており、その自由端は支持底３に固定されている。ピストンロッド１６の、支持底３に隣接する端部には、緩衝器として作用する弾性ストップリング１７が巻きつけられている。
【００２７】
直立管１から外方に突出した空気バネ６の端部には椅子の座面を固定可能であり、ここから開放ピン１８が空気バネの外方に突出している。この開放ピン１８を軸線方向に押し込むことにより、ピストンロッド１６のピストンで互いに分離されている空気バネ６のチャンバーが互いに連通可能となり、空気バネ６の支持管７が直立管１に対して軸線方向に調整可能となる。
【００２８】
直立管１の内部をスロット１３と連通することにより、開口１２及びチャンバー１１が、直立管１及び支持管７からの相対変位の間に、大気との圧力バランスを達成する。
【図面の簡単な説明】
【図１】この発明に係る家具支柱の断面図である。
【図２】図１に示す家具支柱の要部の断面図である。
【図３】図２に示す要部の正面図である。
【図４】図２のＩＶ−ＩＶ線に沿った断面図である。
【符号の説明】
１　　直立管
２　　脚領域
３　　支持底
４　　フランジ部
５　　エンボス部
６　　空気バネ
７　　支持管
８　　ガイド管
９　　ガイドブッシュ
１０　　インサートリング領域
１１　　チャンバー
１２　　開口
１３　　スロット
１４　　ウエブ
１５　　リング状突起
１６　　ピストンロッド
１７　　ストップリング
１８　　開放ピン
【図１】
2004016820.tif 000003
【図２】
2004016820.tif 000004
【図３】
2004016820.tif 000005
【図４】
2004016820.tif 000006